(57)【要約】      （修正有）【課題】衣料小売店舗等の販売現場でハンガーに装着し、商品の販売効果を得るハンガー用立体タグを提供する。【解決手段】適宜厚さの紙板を用い、挿通孔２を中心に開口し、互いに前後に所要の間隔を存して対応する前縁１ａ１と後縁１ｂ１に区画される天板部１ａを上端に備え、前記前縁と後縁から二つ折りされて下方に延長形成される前表示面部１ｂと後表示面部１ｃを備え、前記天板部から適宜下方で、かつ、天板部の左側端１ａ３の左外方と右側端１ａ４の右外方とに前記前表示面部と後表示面部が夫々所要幅が延出されて、その前表示面部の左中段前表示面部上縁１ｂ１と後表示面部の左中段後表示面部上縁１ｃ１とに左中段天板部１ｄ１が、その前表示面部の右中段前表示面部上縁１ｂ２と後表示面部の右中段後表示面部上縁１ｃ２とに右中段天板部１ｄ２が夫々差し渡し形成されてなるハンガー用立体タグ。【選択図】図１
2008181052.tif 000002
【特許請求の範囲】
【請求項１】
適宜厚さの紙板を用い、挿通孔を中心に開口し、互いに前後に所要の間隔を存して対応する前縁と後縁に区画される天板部を上端に備え、前記前縁と後縁から二つ折りされて下方に延長形成される前表示面部と後表示面部を備え、前記天板部から適宜下方で、かつ、天板部の左側端の左外方と右側端の右外方とに前記前表示面部と後表示面部が夫々所要幅が延出されて、その前表示面部の左中段前表示面部上縁と後表示面部の左中段後表示面部上縁とに左中段天板部が、その前表示面部の右中段前表示面部上縁と後表示面部の右中段後表示面部上縁とに右中段天板部が夫々差し渡し形成されてなるハンガー用立体タグ。
【請求項２】
適宜厚さの紙板を用い、前記挿通孔を中心に開口し、互いに前後に所要の間隔を存して対応する前縁と後縁に区画される天板部の左右に、前記天板部と同幅に左中段天板部と右中段天板部を構成すると共に、左中段後表示面部上縁に対応する対応左中段後表示面部上縁と、右中段後表示面部上縁に対応する対応右中段後表示面部上縁の後方に、左連結屈曲部と左差込み定着部と、右連結屈曲部と右差込み定着部とを、夫々、一体に付設し、前記左差込み定着部と右差込み定着部に対応して、前記左中段後表示面部上縁と右中段後表面面部上縁より離隔した内側の後表示面部において左係合孔と右係合孔を開設してなる請求項１のハンガー用立体タグ。
【発明の詳細な説明】
【技術分野】
【０００１】
本発明は、衣料小売店舗等の販売現場でハンガーに装着し、商品に関する情報を記載表示し、商品の販売効果を得ることを目的に使用するハンガー用立体タグに関するものである。
【背景技術】
【０００２】
従来、ハンガーに装着するタグは、例えば、特許文献１に示すように、縦に細長く形成され、ハンガー１０の連結部１３が挿入される連結部挿入用穴２１と、その連結部挿入用穴２１の下方でハンガー１０の本体部１１の上端部が挿入される本体上端部挿入穴２２とが上方部に形成され、前記連結部挿入用穴２１より上端部に切目２３が形成されているクリーニング用ハンガーがある。
【０００３】
次に、特許文献２に示すように、帯状紙片の中心部に設けられたハンガーの吊下げ用フックを通すための挿通孔と、その挿通孔を中心とする帯状紙片の何れか一方の側又は両側に設けられ、衣類用ハンガーに掛けられる衣類のサイズ、広告、案内等の表示を、前記挿通孔を上側にして記載表示した表示部と、前記帯状紙片の両側に設けられ、衣料用ハンガー中央部下方凹部内に織り込まれて挿入される掛止舌片部とから構成されるハンガー用表示ラベルがある。
【０００４】
次に、特許文献３に示すように、帯状紙片４の中心部に設けられたハンガーの吊下げ用フックを通すための挿通孔５と、その挿通孔５を中心とする帯状紙片４の何れか一方側又は両側に設けられ、衣類用ハンガーに掛けられる衣類のサイズを表示する表示部と、帯状紙片４の表示部６側の一端に設けられた掛止部７と、帯状紙片４の挿通孔５を中心として表示部６を対称となす部分に設けられた表示部６と同形の合せ部７２と、切り取りにより形成された合せ部７２内の受入れ部７３とから構成されるハンガー用表示ラベルがある。
【０００５】
次に、特許文献４に示すように、ハンガーのネック部分に被着して、該ハンガーに懸け吊す被服等の性状を立体的に表示するタグにおいて、四角筒枠状であって、展開状態で、前表示面、左右側表示面及び後表示面を備えた薄板紙を折り組で角筒枠状を形成し、さらに前記左右側表示面の下縁には、前記ハンガーの肩辺部形状に対応させた弧状切り欠きを形成してなるハンガー用立体型タグがある。
【特許文献１】実開平６−７２５９９号公報
【特許文献２】実用新案登録第３１０６６８５号公報
【特許文献３】実用新案登録第３１０７９７８号公報
【特許文献４】実用新案登録第３０７０５４１号公報
【発明の開示】
【発明が解決しようとする課題】
【０００６】
前記特許文献１の考案は、縦に細長く形成された紙片を基本形とし、連結部挿入用穴２１と、その下方に上端部挿入穴２２と、さらに、前記連結部挿入用穴２１の上方部に切目２３が形成されるものであるから、一般的な平板タグと同様の下げ札として個別識別標識としては、優れた機能を奏するが、商品の展示機能としては装飾性に欠けるものである。
【０００７】
特許文献２のハンガー用表示ラベルは、帯状紙片の中心部に設けられたハンガーの吊下げ用フックを通すための挿通孔と、その挿通孔を中心とする帯状紙片の一方の側又は両側に設けられ表示部と、掛止舌片部とから構成されるものであるから、ハンガーの下面において、掛止舌片部を掛止める掛止め凹陥部を形成しなければならず、使用ハンガーが限定される。
【０００８】
特許文献３のハンガー用表示ラベルは、前記特許文献２の改良型であって、衣類用ハンガーに掛けられる衣類のサイズを表示する表示部と、その表示部の一方側の一端に設けられた掛止部と、表示部の反対側の一端に設けられた合せ部７２と、その合せ部７２内の受入れ部７３とから構成されるものであるから、ハンガーの首部を巻回してその先端を係合連結するから、ハンガーに掛られた商品の外側に装着することはできないものである。
【０００９】
次に、特許文献４のハンガー用立体型タグは、四角筒枠から前表示面、左右側表示面及び後表示面を構成し、さらに、前記左右側表示面の下縁に、前記ハンガーの肩辺部形状に対応させた弧状切り欠きを形成してなるものであるから、上面に空きが形成されて装飾性に欠けるものである。
【課題を解決するための手段】
【００１０】
本発明は、装飾性と形態維持性の向上を目的になされたものであって、適宜厚さの紙板を用い、挿通孔を中心に開口し、互いに前後に所要の間隔を存して対応する前縁と後縁に区画される天板部を上端に備え、前記前縁と後縁から二つ折りされて下方に延長形成される前表示面部と後表示面部を備え、前記天板部から適宜下方で、かつ、天板部の左側端の左外方と右側端の右外方とに前記前表示面部と後表示面部が夫々所要幅が延出されて、その前表示面部の左中段前表示面部上縁と後表示面部の左中段後表示面部上縁とに左中段天板部が、その前表示面部の右中段前表示面部上縁と後表示面部の右中段後表示面部上縁とに右中段天板部が夫々差し渡し形成されてなるハンガー用立体タグにある。
【００１１】
前記ハンガー用立体タグは、前記挿通孔を中心に開口し、互いに前後に所要の間隔を存して対応する前縁と後縁に区画される天板部の左右に、前記天板部と同幅に左中段天板部と右中段天板部を構成すると共に、左中段後表示面部上縁に対応する対応左中段後表示面部上縁と、右中段後表示面部上縁に対応する対応右中段後表示面部上縁の後方に、左連結屈曲部と左差込み定着部と、右連結屈曲部と右差込み定着部とを、夫々、一体に付設し、前記左差込み定着部と右差込み定着部に対応して、前記左中段後表示面部上縁と右中段後表示面部上縁より離隔した内側の後表示面部において左係合孔と右係合孔を開設してもよいものである。
【発明の効果】
【００１２】
従来の天板部から前後に二つ折りされて、前後に表示面を持つタグは、フックに掛けてハンガーに使用した場合に、下端をハンガーの下面の凹陥部に係合しない場合は、フリーであるので、商品の形状にしたがって、あるいは、展示時に引き起こし作用を受けてめくり上がり、商品の美感、品質等を強調するものが、その機能を損ね、反対に購入意欲を減衰させかねないものであった。また、下端をハンガーの下面の凹陥部する場合は、下面の凹陥部をもつハンガーでないと利用出来ない不便かあった。
【００１３】
しかるに、本発明のハンガー用立体タグは、前述のように構成されるから、ハンガーに制限されず利用することができ、また、前後の表示面部は、中段の差し渡し部により天板部の下方で前後幅を規制し、前後の表示面部が天板部を中心として外側に湾曲することを防止するものである。
【００１４】
また、本発明のハンガー用立体タグは、上面に、ハンガーのフック部に挿通する挿通孔を備える天板部と、左右中段天板部を備え、上部をカバーするので、ハンガーのフック部とその周囲を装飾し、併せて商品の上部と前後面を装飾して展示することができ、よって、立体タグの外形を美麗に保形し、商品の特徴の説明等の機能を発揮し、商品に接する顧客の購入意欲を高めるものである。
【発明を実施するための最良の形態】
【００１５】
適宜厚さで、方形の紙板を用い、前記挿通孔を中心に開口し、互いに前後に所要の間隔を存して対応する前縁と後縁に区画される天板部を上端に備え、前記前縁と後縁から二つ折りされて下方に延長形成される前表示面部と後表示面部を備え、前記天板部から適宜下方で、かつ、天板部の左側端の左外方と右側端の右外方に、前記天板部と同幅に左中段天板部と右中段天板部を、前記左中段前表示面部上縁と、右中段後表示面部上縁とに接続して一体に構成すると共に、前記左中段天板部と右中段天板部に連結屈曲部と左差込み定着部と、右連結屈曲部と右差込み定着部とを、夫々、一体に付設し、前記左中段後表示面部上縁と右中段後表示面部上縁より離隔した内側の後表示面部において左前記左差込み定着部と右差込み定着部に対応して、左係合孔と右係合孔を開設し、前記左差込み定着部と右差込み定着部を後表示面部に定着してなる前記ハンガー用立体タグ。
【実施例】
【００１６】
本発明のハンガー用立体タグを実施例１として示す図１〜図３により説明すると、実施例１のハンガー用立体タグ１は、適宜厚さで、外縁が方形の紙板を用い、挿通孔２を中心に開口し、互いに前後に所要の間隔を存して対応する前縁１ａ１と後縁１ａ２に区画される天板部１ａを上端に備え、前記前縁１ａ１と後縁１ａ２から二つ折りされて下方に延長形成される前表示面部１ｂと後表示面部１ｃを備え、前記天板部１ａから適宜下方で、かつ、天板部１ａの左側端１ａ３の左外方と右側端１ａ４の右外方とに前記前表示面部１ｂと後表示面部１ｃが夫々所要幅が延出されて、その前表示面部１ｂの左中段前表示面部上縁１ｂ１と後表示面部１ｃの左中段後表示面部上縁１ｃ１とに左中段天板部１ｄ１が、その前表示面部１ｂの右中段前表示面部上縁１ｂ２と後表示面部１ｃの右中段後表示面部上縁１ｃ２とに右中段天板部１ｄ２が夫々差し渡し形成されてなるものである。
【００１７】
次に、本発明のハンガー用立体タグの実施例２を図４〜図６により説明すると、始めに図４に示すように、所要の厚みの紙板を素材として表面に商品情報表示３を印刷その他の公知手段で行い、前記実施例１と同様の各部を区画し、その外形及び区画を切断して形成する。
【００１８】
このハンガー用立体タグ１０において、前記実施例１と同様に、天板部１ａは、左右に左中段天板部１ｄ１と右中段天板部１ｄ２を構成するために、その左中段天板部１ｄ１と右中段天板部１ｄ２は、前記天板部１ａと同幅に構成すると共に、左中段後表示面部上縁１ｃ１に対応する対応左中段後表示面部上縁１ｃ１１と、右中段後表示面部上縁１ｃ２に対応する対応右中段後表示面部上縁１ｃ２１の後方には、夫々、左連結屈曲部１ｅ１と左差込み定着部１ｅ１１と、右連結屈曲部１ｅ２と右差込み定着部１ｅ２１とを、夫々、一体に付設して備え、そして、前記左差込み定着部１ｅ１１と右差込み定着部１ｅ２１に対応して、前記左中段後表示面部上縁１ｃ１と右中段後表示面部上縁１ｃ２より離隔した内側の後表示面部１ｃにおいて左係合孔１ｆ１と右係合孔１ｆ２を図示の通り開設している。
【００１９】
本発明の前記実施例１のハンガー用立体タグ１及び実施例２のハンガー用立体タグ１０の天板部１ａの幅は、ハンガー４のフック部４ａの基端の厚み、商品を掛けた時の全体の厚み幅と適合するように構成する。また、天板部１ａに開口する挿通孔２についても、ハンガー４のフック部４ａに適合して形成する。左中段天板部１ｄ１と右中段天板部１ｄ２を構成するために、前記実施例２では、左差込み定着部１ｅ１１と右差込み定着部１ｅ２１を後表示面部１ｃにおいて開設した左係合孔１ｇ１と右係合孔１ｇ２に差込み係合しているが、この構成に限定するものではなく、図示しないが、接着剤手段による定着でもよいものである。
【００２０】
本発明の実施例１のハンガー用立体タグ１及び実施例２のハンガー用立体タグ１０は、前述のように構成されるから、ハンガー４には、例えば、図４に示すように、商品５を掛けた後に、フック部４ａに挿通孔２を通して装着し、展示使用するものである。
【産業上の利用可能性】
【００２１】
商品の販売現場において、比較的長期にわたり、見栄え良く適切に商品説明が行えるので、商品流通の活性化に寄与するものである。
【図面の簡単な説明】
【００２２】
【図１】本発明の実施例１のハンガー用立体タグを示す正面側外観斜視図である。
【図２】同じく、背面側外観斜視図である。
【図３】同じく、本発明の実施例１のハンガー用立体タグをハンガーに装着した使用状態を示す外観斜視図である。
【図４】本発明の実施例２のハンガー用立体タグを構成する部材の展開図である。
【図５】同じく、本発明の実施例２のハンガー用立体タグを示す正面側外観斜視図である。
【図６】同じく、背面側外観斜視図である。
【符号の説明】
【００２３】
１  実施例１のハンガー用立体タグ
１ａ  天板部
１ａ１  前縁
１ａ２  後縁
１ａ３  左側端
１ａ４  右側端
１ｂ  前表示面部
１ｂ１  左中段前表示面部上縁
１ｂ２  右中段前表示面部上縁
１ｃ  後表示面部
１ｃ１  左中段後表示面部上縁
１ｃ１１  対応左中段後表示面部上縁
１ｃ２  右中段後表示面部上縁
１ｃ２１  対応右中段後表示面部上縁
１ｄ１  左中段天板部
１ｄ２  右中段天板部
１ｅ１  左連結屈曲部
１ｅ１１  左差込み定着部
１ｅ２  右連結屈曲部
１ｅ２１  右差込み定着部
１ｆ１  左係合孔
１ｆ２  右係合孔
２  挿通孔
３  商品情報表示
４  ハンガー
４ａ  フック部
５  商品
１０  実施例２のハンガー用立体タグ
【図１】
2008181052.tif 000003
【図２】
2008181052.tif 000004
【図３】
2008181052.tif 000005
【図４】
2008181052.tif 000006
【図５】
2008181052.tif 000007
【図６】
2008181052.tif 000008